(57)【要約】【課題】  広く知られている工事用開閉器工法やバイパス工法によらず、迅速で、且つ作業要員及び作業工数を抑えることができ、その結果、納期の短縮及び工事費用の削減を実現することができる、電柱における配電線の無停電作業方法を提供する。【解決手段】  配電線Ｌがピン碍子Ｃにて曲がって線路角度が付いているような場合に、高所作業車のウインチＦを利用して、線路角度が無くなるように配電線Ｌを引っ張っておけば、作業員に対する好適な作業環境が担保されるため、配電線Ｌを取り扱う各種の作業をいわゆる活線作業にて行うことが可能となり、その結果、工事用開閉器工法やバイパス工法と比べて納期の短縮及び工事費用の削減を実現することができる。【選択図】図３
2009141999.tif 000002
【特許請求の範囲】
【請求項１】
腕金が取り付けられ、腕金にピン碍子が取り付けられ、ピン碍子に配電線が支持される構造の電柱であって、その両隣の電柱の設置状況によって配電線がピン碍子の箇所で曲がって線路角度が付いている電柱における配電線の無停電作業方法であって、滑車手段が直接又は間接に係止される作業用具を、滑車手段が配電線の曲がり方向と反対側に配置されるよう、電柱又は腕金に固定すると共に、高所作業車が備えるウインチの線材を滑車手段によって垂直方向から方向転換した状態で配電線に直接又は間接に接続した後、ウインチを動作させて線材を巻き上げることにより、配電線に曲がり方向と反対側に張力を付加して線路角度が無くなるようにし、かかる状態にて、配電線を取り扱う作業を行うことを特徴とする電柱における配電線の無停電作業方法。
【請求項２】
前記作業用具は、滑車手段を直接又は間接に係止させるための係止手段を備える長尺な本体部と、腕金の長さを延長するようにして本体部を腕金に固定するための固定手段とを備える請求項１に記載の電柱における配電線の無停電作業方法。
【請求項３】
前記作業用具は、滑車手段を直接又は間接に係止させるための係止手段を備える長尺な本体部と、電柱から側方に張り出すようにして本体部を電柱に固定するための固定手段とを備える請求項１又は２に記載の電柱における配電線の無停電作業方法。
【請求項４】
前記作業用具は、滑車手段を直接又は間接に係止させるための係止手段を備える長尺な本体部と、電柱に沿うようにして本体部を電柱に固定するための固定手段とを備える請求項１〜３の何れか１項に記載の電柱における配電線の無停電作業方法。
【発明の詳細な説明】
【技術分野】
【０００１】
本発明は、例えば、既設の電柱に架設された配電線を新設の電柱に移設する等、配電線を取り扱う作業を無停電で行う方法に関する。
【背景技術】
【０００２】
従来、配電線を取り扱う作業は、配電線を切断して停電状態にした上で行うのが一般的であったが、近年、電力需要の急増によってこれに対応する電力設備がどんどん拡充し、電力使用者の電気品質に対する要求水準が高まる中、停電による影響が無視できなくなってきており、電力会社として安定した電力を供給するためには、無停電工法での作業が必須となってきている。
【０００３】
無停電工法での作業方法としては、バイパス工法が広く知られている（特許文献１，２）。これは、作業対象となる電柱（以下、「作業柱」という）における配電線の箇所を迂回するようにして工事用開閉器を含むバイパスケーブルを配電線に並列的に接続し、工事期間中は、バイパスケーブルを充電状態とする一方、バイパスケーブルが接続された間の配電線を無充電状態にし、作業柱にて無充電状態の配電線を取り扱う作業を行うものである。
【特許文献１】特開２００１−１１９８２５号
【特許文献２】特開２００７−２０９１９６号
【発明の開示】
【発明が解決しようとする課題】
【０００４】
しかしながら、バイパス工法は、作業工数が多いため、非常に費用がかかるという問題がある。というのも、例えば、配電線の移設工事をバイパス工法で行う場合、まず始めに、バイパスケーブルを接続する配電線の箇所（三相三線の高圧線であれば、作業柱を跨ぐ二箇所の合計六箇所）において、配電線の被覆を剥く作業を行い、次に、被覆を剥いだ箇所にバイパスケーブル（三相三線の高圧線であれば、合計六本のバイパスケーブル）を接続する作業を行い、次に、工事用開閉器を経由する分流回路（バイパス）ができた状態で、バイパスケーブルが接続された間の配電線（三相三線の高圧線であれば、合計三本の配電線）を切断し、次に、切断した配電線の端末処理（三相三線の高圧線であれば、合計六箇所の端末処理）作業を行い、次に、配電線を移設した後、逆の手順で、バイパスケーブルを取り外す作業を行わなければならず、非常に作業工数が多くなる。尚、この問題は、同じく無停電工法として広く知られている工事用開閉器工法についても言えることである。
【０００５】
そこで、本発明は、上記問題に鑑みてなされたもので、工事用開閉器工法やバイパス工法によらず、迅速で、且つ作業要員及び作業工数を抑えることができ、その結果、納期の短縮及び工事費用の削減を実現することができる無停電作業方法を提供することを課題とする。
【課題を解決するための手段】
【０００６】
本発明は、上記課題を解決すべく構成され、腕金が取り付けられ、腕金にピン碍子が取り付けられ、ピン碍子に配電線が支持される構造の電柱であって、その両隣の電柱の設置状況によって配電線がピン碍子の箇所で曲がって線路角度が付いている電柱における配電線の無停電作業方法であって、滑車手段が直接又は間接に係止される作業用具を、滑車手段が配電線の曲がり方向と反対側に配置されるよう、電柱又は腕金に固定すると共に、高所作業車が備えるウインチの線材を滑車手段によって垂直方向から方向転換した状態で配電線に直接又は間接に接続した後、ウインチを動作させて線材を巻き上げることにより、配電線に曲がり方向と反対側に張力を付加して線路角度が無くなるようにし、かかる状態にて、配電線を取り扱う作業を行うことを特徴とする。
【０００７】
かかる構成によれば、配電線が曲がって線路角度が付くことにより配電線に作用する張力が作業中に不用意に開放されて、作業中に配電線が不用意に動いたりする事態が起こり得ず、そのため、作業員に対する安全性が確保された状態となるばかりでなく、そのような状態を実現する手段が高所作業車のウインチによるものであり、そのため、作業員に肉体的な作業負担を与えることがなく、従って、作業員に対する好適な作業環境が担保されるため、配電線が充電状態のまま作業で行う、いわゆる「活線作業」が可能となる。
【０００８】
この場合、前記作業用具は、滑車手段を直接又は間接に係止させるための係止手段を備える長尺な本体部と、腕金の長さを延長するようにして本体部を腕金に固定するための固定手段とを備える構成を採用することができる。
【０００９】
あるいは、前記作業用具は、滑車手段を直接又は間接に係止させるための係止手段を備える長尺な本体部と、電柱から側方に張り出すようにして本体部を電柱に固定するための固定手段とを備える構成であってもよい。
【００１０】
あるいは、前記作業用具は、滑車手段を直接又は間接に係止させるための係止手段を備える長尺な本体部と、電柱に沿うようにして本体部を電柱に固定するための固定手段とを備える構成であってもよい。
【００１１】
即ち、配電線にどのような態様で線路角度が付いているかに応じて、適宜、作業用具を選択することで、より適正な作業を行えるようになる。
【発明の効果】
【００１２】
以上の如く、本発明は、広く知られている工事用開閉器工法やバイパス工法のような煩雑な工程を要しないため、迅速で、且つ作業要員及び作業工数を抑えることができ、その結果、納期を短縮し且つ工事費用を削減することができる。
【発明を実施するための最良の形態】
【００１３】
以下、本発明に係る電柱における配電線の無停電作業方法について、一実施形態として、既設の電柱に架設された配電線を新設の電柱に移設する場合について、図面を参酌しつつ説明する。
【００１４】
図１は、既設の電柱Ａ１に架設された配電線Ｌを新設の電柱Ａ２に移設する一形態の概要図を示し、同図（イ）が移設工事前の状況、同図（ロ）が工事期間における状況、同図（ハ）が移設工事完了後の状況である。
【００１５】
同図（イ）に示す如く、電柱Ａ１の上部に一対の腕金Ｂ，Ｂが取り付けられ（いわゆる「抱腕金」）、各腕金Ｂに複数のピン碍子Ｃ，…が取り付けられ、各ピン碍子Ｃに配電線Ｌが支持されている（いわゆる「通り」）。尚、本実施形態においては、配電線Ｌ，…が三相三線の高圧線であるため、配電線Ｌ，…は三本であり、そのため、ピン碍子Ｃ，…も三つである。
【００１６】
また、各腕金Ｂは、電柱Ａ１から水平方向において各端部までの距離が異なるよう、電柱Ａ１に対して左右非対称に取り付けられ（いわゆる「片やり出し装柱」）、腕金Ｂのうち、長い方に二つのピン碍子Ｃ，Ｃが取り付けられる一方、短い方に一つのピン碍子Ｃが取り付けられている。従って、三本の配電線Ｌ，Ｌ，Ｌのうち、二本は、電柱Ａ１を挟んで腕金Ｂの一方側、残りの一本は、電柱Ａ１を挟んで腕金Ｂの他方側に架設される。
【００１７】
本実施形態に係る移設工事は、電柱Ａ１を何らかの事情により撤去しなければならず、配電線Ｌ，…の移設先として、新たな電柱Ａ２を配電線Ｌ，…の通り方向にずらした位置が選定された場合を想定している。その場合の移設工事の手順は、大まかに言えば、新たな電柱Ａ２を設置し（同図（ロ））、その電柱Ａ２におけるピン碍子Ｃ，…で配電線Ｌ，…を支持させた後、元の電柱Ａ１を撤去すればよい（同図（ハ））。
【００１８】
しかしながら、既設の電柱Ａ１における配電線Ｌ，…は、その両隣の電柱（図示せず）が既設の電柱Ａ１と共に平面視にて直線的に設置されていないため、ピン碍子Ｃ，…の箇所で水平方向に曲がり、水平方向に線路角度が付いている状態となっている。そのため、電柱Ａ１における配電線Ｌ，…には、ピン碍子Ｃ，…の箇所にて水平方向の張力が生じている。また、既設の電柱Ａ１及びその両隣の電柱間（いわゆる「径間」）における配電線Ｌ，…は、何らの手段で支持されているわけではないので、電柱Ａ１における配電線Ｌ，…には、ピン碍子Ｃ，…の箇所にて通り方向の張力が生じている。このような場合、不用意に張力が開放されて、配電線Ｌが不用意に動いたりするといった不測の事態が起こり得るということで、従来は、作業員への安全面での配慮から、停電作業か、工事用開閉器工法あるいはバイパス工法による無停電作業で移設工事を行わなければならなかった。
【００１９】
従って、移設工事中、配電線Ｌに作用する張力によって配電線Ｌが不用意に動かないような環境を構築すれば、配電線Ｌ，…が充電状態のまま作業で行う（いわゆる「活線作業」）ことは許容される。これが本実施形態の特徴である。
【００２０】
具体的に言えば、図２に示す如く、水平方向に曲がっている配電線Ｌ（同図（イ））を、その曲がっている側に張力Ｔを付加して引っ張り（同図（ロ））、配電線Ｌの線路角度が０°あるいはその近傍を維持するようにしておけば（同図（ハ））、ピン碍子Ｃの箇所にて配電線Ｌに作用する水平方向の張力は解消されるかあるいは軽減されて、水平方向に配電線Ｌが不用意に動いてしまうようなことは無くなる。また、上記張力Ｔを付加することにより、ピン碍子Ｃの箇所にて配電線Ｌに作用する通り方向の張力も解消されるかあるいは軽減されて、通り方向に配電線Ｌが不用意に動いたりしてしまうようなことも無くなる。その結果、作業員は、安全に作業を行うことができる。
【００２１】
ところで、作業員が行う作業とは、具体的に言えば、既設の電柱Ａ１においては、配電線Ｌをピン碍子Ｃ（のくびれ部）に配置した状態でピン碍子Ｃに固定するための巻付けバインドＤを取り外すことであり、新設の電柱Ａ２においては、巻付けバインドＤを取り付けることである。従って、図１（図１においては、巻付けバインドＤは図示省略している）に係る移設工事の手順をより詳しく説明すると、まず始めに、新たな電柱Ａ２を設置し、次に、その電柱Ａ２において、ピン碍子Ｃ，…で配電線Ｌ，…を支持させた後、それらに巻付けバインドＤを取り付け、次に、既設の電柱Ａ１において、配電線Ｌ，…のうち、曲がっている部分に対し、線路角度が０°となるよう引っ張り張力Ｔ，…を配電線Ｌ，…の長手方向と直交する方向に付加した状態で、各巻付けバインドＤを取り外し、次に、上記張力Ｔ，…の付加を解除し、最後に、既設の電柱Ａ１を撤去すればよい。尚、本実施形態においては、配電線Ｌ，…が三相三線の高圧線であり、且つ、各電柱Ａ１（Ａ２）において、各配電線Ｌにつき、ピン碍子Ｃが二つ提供されているため、取り外しされる巻付けバインドＤ，…の数あるいは取り付けされる巻付けバインドＤ，…の数は、電柱一本当たり、三つまたは六つである（電線サイズと線路角度による）。
【００２２】
ここで、上記張力Ｔを付加する手段についてであるが、それは、図３に示す如く、高所作業車のブームＥの先端に取り付けられたウインチＦを用いる。作業員を複数人用意し、一人が自力にて上記張力Ｔを付加しておき、その間、他の者が巻付けバインドＤの取り外し作業を行うことも物理的に不可能ではないが、活線作業上、この方法は好ましくない。ウインチＦの巻き上げ力を上記張力Ｔに変換して付加することで、作業員に肉体的な作業負担を与えることがなく、安全である。
【００２３】
また、本実施形態においては、配電線ＬをウインチＦにてそのまま横引きするのではなく、滑車（定滑車）１を用いて垂直方向に変換し、ウインチＦにて下方から上方に巻き上げ力を付加するようにしている。これにより、ウインチＦに対して水平方向の反力がかかり、高所作業車が転倒してしまうような事態を回避することができる。
【００２４】
しかも、滑車１（の本体部１ａ）を適正な位置にて支持させるために、作業用具１０を電柱Ａ１に取り付けられた腕金Ｂに固定して腕金Ｂの長さを延長した上で、この作業用具１０が備える係止手段としてのアイナット１１に、滑車１の本体部１ａを直接、あるいはフック２の付いた台付けロープ３等を介して間接に係止させるようにしている。そうすることによって、ウインチＦの線材としてのワイヤロープＧが滑車１によって垂直方向から水平方向に転換され、このワイヤロープＧが配電線Ｌの該当箇所を直接、あるいはワイヤロープＧの先端に取り付けられたフックＨが配電線Ｌの該当箇所に巻き付けられた台付けロープ４に係止される等により間接に接続された上で、ウインチＦがワイヤロープＧを巻き上げ動作すれば、配電線Ｌに対し、線路角度が無くなるような上記張力を付加することができる。尚、図３においては、台付けロープ４が配電線Ｌのうち、ピン碍子Ｃの箇所にて接続されるように見えるが、台付けロープ４が実際に接続される配電線Ｌの箇所は、図２（ロ）、（ハ）の「張力Ｔ」に係る矢印記号が表示されている箇所である。
【００２５】
つまり、本実施形態においては、図１に係る移設工事の手順をさらに詳しく説明すると、まず始めに、新たな電柱Ａ２を設置し、次に、その電柱Ａ２において、ピン碍子Ｃ，…で配電線Ｌ，…を支持させた後、それらに巻付けバインドＤを取り付け、次に、既設の電柱Ａ１において、作業用具１０を腕金Ｂに固定し、次に、滑車１を直接又は間接に作業用具１０に係止させ、且つ高所作業車のウインチＦのワイヤロープＧが滑車１を通って配電線Ｌの曲がっている箇所に直接又は間接に接続されるよう、準備作業を行い、次に、配電線Ｌ，…の線路角度が０°となるよう、ウインチＦを動作させた（引っ張り張力Ｔ，…を付加した）状態で、各巻付けバインドＤを取り外し、次に、ウインチＦの動作を停止し、ワイヤロープＧを外したり、作業用具１０を取り外したり等、撤収作業を行い、最後に、既設の電柱Ａ１を撤去するようにする。
【００２６】
このように、本実施形態によれば、移設工事に際し、充電箇所に対する作業は、既設の電柱Ａ１に対しては、配電線ＬにウインチＦのワイヤロープＧを接続する作業が三回、巻付けバインドＤの取り外し作業が六回、ワイヤロープＧの接続を解除する作業が三回、であり、新設の電柱Ａ２に対しては、巻付けバインドＤの取り付け作業が六回、であり、合計１８回で済む。これに対し、バイパス工法による移設工事は、充電箇所に対する作業が、バイパスケーブルの取り付け時は、上述したように、２１回、また、バイパスケーブルの取り外し時は、２７回、であり、合計４８回である。これらを単純に対比して全体を云々することは正確ではないが、そうはいっても、本実施形態が、迅速で、且つ作業要員及び作業工数を抑えることができ、その結果、納期の短縮及び工事費用の削減を実現することができる、非常に優れた方法であることは容易に理解できるであろう。
【００２７】
尚、配電線Ｌ，…の架設状態が図１のものと異なり、反対側に線路角度が付いている場合は、図４（イ）に示す如く、腕金Ｂの反対側に作業用具１０を固定すればよい。即ち、腕金Ｂが片やり出し装柱であれば、電柱Ａ１の左右に腕金Ｂが張り出しているので、配電線Ｌ，…の曲がり方向に応じて、作業用具１０の取り付けを一方側の張り出し部分にしたり、他方側の張り出し部分にして、適宜選択することができる。この点、電柱Ａ１から水平方向において各端部までの距離が同じとなるよう、電柱Ａ１に対して左右対称に取り付けられる、いわゆる「心づけ装柱」であっても、同様の使い方ができる。
【００２８】
しかし、同図（ロ）に示す如く、電柱Ａに対して腕金Ｂが一方にのみ張り出す、いわゆる「全やり出し装柱」であれば、腕金Ｂが張り出していない側に張り出すようにして作業用具１０を腕金Ｂに固定することはできないから、その場合は、作業用具１０を電柱Ａに直接固定するようにすればよい。
【００２９】
さらに、同図（ハ）に示す如く、各配電線Ｌ，…が電柱Ａの長手方向に沿って架設される、いわゆる「垂直アーム装柱」であれば、作業用具１０を電柱Ａと直交するように固定しても意味はなく、電柱Ａの長手方向に沿って作業用具１０を配置しなければならない。そのため、作業用具１０は、電柱Ａに沿って固定できるようにもしている。尚、この場合、係止手段としてのアイナット１１は、適宜間隔を有して（好ましくは、配電線Ｌ，…と同じ間隔で）作業用具１０に用意され、それぞれ一対一対応でアイナット１１を使用するのが好適である。
【００３０】
これらを実現する具体的な作業用具１０を図５に示す。この作業用具１０は、腕金１２を用いて長尺な本体部が構成され、該本体部１２に適宜の構成が着脱自在に付加されるようになっている。例えば、長尺なボルト１４及びナット１５からなる第１の固定手段１３（適宜、ワッシャー等も用いられる）が、本体部１２に着脱自在にして少なくとも二組以上設けられるが、これらは、本体部１２が電柱Ａ１，Ａに装柱された腕金Ｂに沿うようにして作業用具１０を該腕金Ｂに固定するための手段である。具体的には、電柱Ａ１，Ａに装柱された腕金Ｂに対し、本体部１２を水平方向に配置し、ボルト１４を腕金Ｂに対して、横方向から挿通し、腕金Ｂの側面から突出するボルト１４にナット１５を締結させるようにして、本体部１２を腕金Ｂに固定する。
【００３１】
あるいは、いわゆる「アームタイレスバンド」からなる第２の固定手段１６が、本体部１２に着脱自在にして設けられるが、これは、本体部１２が電柱Ａに対して直交するようにして作業用具１０を該電柱Ａに直接固定するための手段であり、図４（ロ）のような場合に用いられる。
【００３２】
あるいは、いわゆる「自在バンド」からなる第３の固定手段１７が、本体部１２に着脱自在にして少なくとも二組以上設けられるが、これらは、本体部１２が電柱Ａに沿うようにして作業用具１０を該電柱Ａに直接固定するための手段であり、図４（ハ）のような場合に用いられる。
【００３３】
尚、上述した係止手段としてのアイナット１１は、図４（ハ）のような使い方ができるよう、最大三つまで提供することができる。具体的には、本体部１２に適宜間隔（例えば５０センチ間隔）で丸孔（図示せず）が形成されており、そこにボルト１８を通し、該ボルト１８にアイナット１１を螺合させることにより、アイナット１１（及びボルト１８）が本体部１２に対して着脱自在となっている。
【００３４】
また、本体部１２がそもそも腕金を流用しており、該腕金には、そもそも適宜箇所にて複数の丸孔や複数の長孔が形成されているので、それら丸孔や長孔並びにボルト・ナット等の締結手段を適宜利用することにより、第２の固定手段としてのアームタイレスバンド１６や、第３の固定手段としての自在バンド１７は、本体部１２に対して着脱自在となっている。
【００３５】
そして、これら第１〜第３の固定手段１３，１６，１７は、本体部１２に対して常時設置されているわけではなく、使用に際して不要であって且つ電柱Ａやそれに装柱された腕金Ｂ等に干渉するような場合は、外されるようにする。
【００３６】
尚、本発明は、上記実施形態に限定されるものではなく、本発明の要旨を逸脱しない範囲で種々の変更が可能である。
【００３７】
例えば、上記実施形態においては、線路角度が水平方向に付いている場合にのみ言及したが、本発明は、線路角度が垂直方向に付いており、水平方向と垂直方向との合成により配電線Ｌ，…がピン碍子Ｃ，…にて斜めに曲がっているような形態や、あるいは、水平方向にて線路角度が一切付いておらず、垂直方向にのみ線路角度が付いていることで、配電線Ｌ，…がピン碍子Ｃ，…にて垂直面に沿って曲がっているような形態にも適用することができる。要は、第１〜第３の固定手段１３，１６，１７を駆使することで、作業用具１０を電柱Ａやその腕金Ｂに適宜の態様で固定することにより、種々の使い方をすることができるのである。
【００３８】
また、上記実施形態においては、抱腕金について言及したが、本発明は、単腕金にも適用することができる。ちなみに、抱腕金であれば、図２で示したように、巻付けバインドＤは、片側が配電線Ｌに係止できるだけの構造で、もう片側が螺旋形状になっているものを用いるが、単腕金であれば、両側が螺旋形状になっている巻付けバインドを用いる。
【００３９】
また、上記実施形態においては、各配電線Ｌに対し、個別に張力Ｔをかけて線路角度を無くすようにしている、即ち、一つの配電線Ｌに張力Ｔをかけて線路角度を無くしてから、そこの巻付けバインドＤを取り外し、これが終われば、次の配電線Ｌに対して作業を行うようにしているが、本発明は、これに限定されず、複数あるいは全ての配電線Ｌ，…に対して同時に張力Ｔをかけるようにしてもよい。具体的には、それぞれ配電線Ｌに台付けロープを接続し、これら複数の台付けロープをウインチＦのワイヤロープＧのフックＨにかけるようにし（そのためには各台付けロープの長さを変える必要である）、複数の配電線Ｌ，…を同時に引っ張るようにすればよい。
【００４０】
また、上記実施形態においては、第１の固定手段１３として、ボルト１４及びナット１５の組み合わせを用い、第２の固定手段１６として、アームタイレスバンドを用い、第３の固定手段１７として、自在バンドを用いているが、これらに限定されず、電柱Ａ１，Ａや腕金Ｂに対して目的とするところの固定状態を得ることができるのであれば、その他、公知のもの全てを採用することができる。
【００４１】
また、配電線としては、アルミ線のみならず、銅線等、公知の材質からなる全てのものを対象とする。ちなみに、銅線であれば、作業対象は、巻付けバインドではなく、バインド線となる。
【００４２】
また、上記実施形態においては、配電線が高圧線であったが、本発明は、これに限定されず、例えば低圧線であってもよい。
【００４３】
また、上記実施形態においては、配電線が三相三線であったが、本発明は、これに限定されず、単相三線等、公知のもの全てを対象とする。
【００４４】
また、上記実施形態においては、配電線を取り扱う作業として、配電線Ｌ，…の移設工事におけるものを例示したが、本発明は、これに限定されず、例えば、損傷したピン碍子の交換や、装柱腕金の取り替え等、各種のものに適用される。
【図面の簡単な説明】
【００４５】
【図１】既設の電柱に架設された配電線を新設の電柱に移設する一形態の概要図を示す。
【図２】線路角度が付いた配電線に対して線路角度を無くすようにする形態の概要図を示す。
【図３】線路角度が付いた配電線に対して線路角度を無くすようにする実際の作業内容の概要図を示す。
【図４】各種装柱に対し、線路角度が付いた配電線に対して線路角度を無くすようにする形態の概要図を示す。
【図５】線路角度が付いた配電線に対して線路角度を無くすために用いられる作業用具の概要図を示す。
【符号の説明】
【００４６】
１…滑車、１ａ…滑車の本体部、２…フック、３，４…台付けロープ、１０…作業用具、１１…アイナット（係止手段）、１２…腕金（本体部）、１３…電柱に装柱された腕金に対する固定手段（第１の固定手段）、１４…ロングボルト、１５…ナット、１６…電柱に対するアームタイレスバンドからなる固定手段（第２の固定手段）、１７…電柱に対する自在バンドからなる固定手段（第３の固定手段）、１８…ボルト、Ｆ…高所作業車のウインチ、Ｇ…ウインチのワイヤロープ（線材）、Ｈ…ウインチのフック
【図１】
2009141999.tif 000003
【図２】
2009141999.tif 000004
【図３】
2009141999.tif 000005
【図４】
2009141999.tif 000006
【図５】
2009141999.tif 000007